(57)【要約】［課題］  現行の建築基準法によると、木造住宅の下部には水平に土台を設け、その上に柱を建てることになっている。しかし、柱を直接石の上に置き、土台を設けないいわゆる「石場建て」の伝統的な民家が数多く残っていて、震災に対して危険な状態にある。これを現行法に適合させるためには、大工事と多大な費用がかかり、事実上改築を勧めることになってしまう。［解決手段］  そこで簡易な工法で、しかも伝統建築の良さを残しながら、耐震補強できる工法を提案する。現行では、建物を地盤に固定することが常識になっているが、伝統的な民家は石の上に柱が乗るだけで地盤に固定されていない。そこで一階床面を剛にし、床下の柱を一階床より片持ち梁のようにして支持させることによって、地震時には免震工法となり、居住者の生命を守ることができる。【選択図】図４
0003118964.tif 000002
【実用新案登録請求の範囲】
【請求項１】
既設の伝統的木造住宅の小屋組み下部、又は中二階の床に、構造用合板（日本農林規格）
を釘で一面に張ること。
【請求項２】
既設の伝統的木造住宅の床に、従来の床板に代えて、構造用合板（日本農林規格）を釘で一面に張ること。
【請求項３】
石の上に建てた柱の床下部分を、縦横方向とも横架材で、柱相互をボルトや釘で緊結すること。
【考案の詳細な説明】
【技術分野】
【０００１】  この考案は、わが国の伝統的民家の耐震工法に関するものである。
現行の建築基準法によると、木造住宅の下部には水平に土台を設け、その上に柱を建てることになっている。しかし、柱を直接石の上に建て土台を設けない、いわゆる「石場建て」の伝統的な民家が数多く残っていて、震災に対して危険な状態にある。これを現行法に適合させるためには、大工事と多大な費用がかかり、事実上改築を勧めることになってしまう。そこで簡易な工法で、しかも伝統建築の良さを残しながら、耐震補強できる工法を提案する。
［背景技術］【０００２】  従来の技術では、建物を地盤に固定することが常識になっていて、石の上に柱が乗るだけで地盤に固定されていない、伝統的な民家の耐震改修には誰も目を向けていない。
［考案の開示］
［考案が解決しようとする課題］【０００３】  土台を設けていない伝統的民家の柱の下部は、相互に緊結されていないので、地震時には一体として地震力に対抗できず危険な状態にある。そこで一階床面を剛にし、床下の柱を一階床より片持ち梁のようにして支持させることによって、地震時には免震工法となり、居住者の生命を守ることができる。
［課題を解決するための手段］【０００４】１．水平構面は剛にし、地震力が均等に柱に伝わるようにする。
屋根面
民家の天井裏は、板を張って物置などにしていることが多い。ここに構造用合板を張り、剛な水平構面を作る。
床面
畳の下は、床板が敷かれているが、伝統工法では、水平剛性の考えがないので、釘も打っていないものが多い。そこでこの床板を取り除き、同じ厚さの構造用合板を釘打ちして水平剛性を高める。
２．垂直は柔のまま耐震性を高める。
壁面（垂直面）は在来の耐震補強の手法を用いるが、剛な筋交いや構造用合板はなるべく用いない。そのため、すでに開発されている仕口ダンパーや荒壁パネルを使用し柔らかい伝統工法の良さを生かす。
３．床下の柱を固める。
床下の石の上に達している柱の下部を、木材などで縦横方向ともに挟み、強固に釘や金物で固定する。このように剛にした一階の床面から下の柱を、地震力（水平力）に耐える片持ち梁と考える。計算方法は、ラーメン構造の水平力を柱に割り振るように、床下の柱が水平力（せん断力）とモーメントに耐えるか断面を検討する。床組みをさらに強固にするため、既存の大引きなどを柱と金物などで緊結する。
［考案の効果］【０００５】屋根面と一階の床面は、構造用合板で剛にしてあるので、地震力は均等に柱に作用する。石の上に乗った柱は、剛な床から生えた足のようになり、土台や基礎に緊結していないので、柱の下は“ピン”構造になる。平常時は、垂直荷重があるので摩擦力で柱は動かないが、垂直動などがある大地震時には水平に移動するおそれがある。しかし動いた時点で、柱下はあたかも“ローラー”となり免震構造になるので、それ以上の地震力はかからない。
もし建物の水平移動があっても、床下を固めてあるので、補修も比較的簡単である。水平の移動を避けようとすれば、建物の四隅の基礎部分にバットレスを設け水平移動を防げばよい。
［考案を実施するための最良の形態］【０００６】  現在、耐震診断制度は全国の自治体で展開されているが、改修が必要と診断されても、基礎を設け土台を入れるのは大工事となり、改築と同じくらいの費用がかかる。そのため工事費の負担に耐えられず、止むを得ず危険な住宅に住み続けている人が多い。このような場合、この工法は簡便で工事費も安く、しかも居住しながら工事ができるので自信を持って勧めることができる。
またこの工事方法は、主要構造部の過半の修繕や模様替えに当たらないので、建築基準法上の確認申請も不要で、居住者の生命を守る耐震補強工事のみを専念して行うことができる。
［実施例］            なし。（但し実施を検討中）【０００７】［産業上の利用可能性］【０００８】  この実用新案は、高度な技術を必要としないが、一方粗悪工事が起こる可能性があるので、技術基準を作る必要がある。この基準によれば、伝統的な住宅を手がけてきた大工なら誰でも施工できるので、地域の建築産業の活性化と住民の安全に寄与できる。
【図面の簡単な説明】
【０００９】［図１］  現行の工法である
［図２］  伝統的な工法（石場建て）である
［図３］  床面の構造用合板張りの図である
［図４］  柱下部の補強の斜視図である
【図１】
0003118964.tif 000003
【図２】
0003118964.tif 000004
【図３】
0003118964.tif 000005
【図４】
0003118964.tif 000006
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
［書類名］    実用新案登録請求の範囲
［請求項１］
石の上に柱を建てた住宅の、小屋組みと床に構造用合板を水平に張り、床下部分の柱相互を横架材でボルトや釘で緊結する木造住宅。
【手続補正２】
【補正対象書類名】明細書
【補正対象項目名】全文
【補正方法】変更
【補正の内容】
［書類名］    明細書
［明細書の全文］
［考案の名称］      石の上に柱を建てた民家の耐震木造住宅
［技術分野］
［０００１］
この考案は、わが国の民家の耐震工法に関するものである。
建築基準法によると、木造住宅の下部には土台を設け、その上に柱を建てることになっている。しかし、柱を直接石の上に建て、土台を設けない民家が数多く残っていて、地震に対して危険な状態にある。この住宅に土台を設けるには、多大な費用がかかるので、簡易な工法で耐震的な住宅を提案する。
［背景技術］
［０００２］
現行の技術では、建物を地盤に固定することが主流になっていて、石の上に柱が乗るだけの民家の耐震改修には誰も目を向けていない。
［考案の開示］
［考案が解決しようとする課題］
［０００３］
土台を設けていない民家の柱の下部は、相互に緊結されていないので、地震時には一体として地震力に対抗できない。そこで小屋組み面と一階床面を剛にし、床下の柱を相互に緊結して免震工法とし、居住者の生命を守る。
［課題を解決するための手段］
［０００４］
１．水平構面は剛にし、地震力が均等に柱に伝わるようにする。
屋根面
民家の小屋組み面に構造用合板を水平に張り、剛な構面を作る。
床面
一階床面に構造用合板を張り剛な構面を作る。
２．床下の柱を固める。
床下の石の上に達している柱の下部を、木材などの横架材で縦横方向ともに挟み、釘や金物で固定する。
［考案の効果］
［０００５］
屋根面と一階の床面は、構造用合板で剛になり、地震力は均等に柱に作用する。石の上に乗った柱はピン構造になるが、地震時には水平力によりローラーとなり免震構造になる。
［考案を実施するための最良の形態］
［０００６］
現在、耐震診断制度は全国で展開されているが、改修が必要と診断されても、土台を設けるには費用が嵩む。そのため止むを得ず、危険な住宅に住み続けている人が多い。
この工法は簡便で工事費も安く、しかも居住しながら工事ができる。
［実施例］          なし。
［０００７］
［産業上の利用可能性］
［０００８］
この提案は、高度な技術を必要としないが、一方粗悪工事が起こる可能性があるので、技術基準を作る必要がある。この基準によれば、大工なら誰でも施工できるので、地域の建築産業の活性化と住民の安全に寄与できる。
［図面の簡単な説明］
［０００９］
［図１］  現行の工法である
［図２］  石の上に柱を建てた工法である
［図３］  構造用合板張りの図である
［図４］  柱下部の補強の斜視図である
【手続補正３】
【補正対象書類名】図面
【補正対象項目名】［図１］
【補正方法】追加
【補正の内容】
0003118964.tif 000007
【手続補正４】
【補正対象書類名】図面
【補正対象項目名】［図２］
【補正方法】追加
【補正の内容】
0003118964.tif 000008
【手続補正５】
【補正対象書類名】図面
【補正対象項目名】［図３］
【補正方法】追加
【補正の内容】
0003118964.tif 000009